(57)【特許請求の範囲】
【請求項１】
超音波振動を発生する振動子を具備した振動部と、振動部に対向する受け部を備え、振動部と受け部で毛髪を挟み込んで、振動子の超音波振動を毛髪に伝達する超音波毛髪処理装置において、前記振動子として矩形板状の振動子を備え、該矩形板状の振動子の厚み方向の一方の面を振動面とし、該振動面を共振点が格子点状の多点に位置するように振動するものとし、振動部の受け部に対向する面又は受け部の振動部に対向する面における前記振動子の共振点に対応する位置に毛髪処理剤を溜めるための処理剤溜め用凹所を形成して成ることを特徴とする超音波毛髪処理装置。
【請求項２】
上記処理剤溜め用凹所として、振動子の共振点に対応する格子点状の多点に窪み部を形成したことを特徴とする請求項１に記載の超音波毛髪処理装置。
【請求項３】
上記処理剤溜め用凹所として、上記振動子の格子点状の共振点における各列の共振点の列方向に長く且つ各列の多数の共振点に跨る凹溝を形成したことを特徴とする請求項１に記載の超音波毛髪処理装置。
【発明の詳細な説明】
【技術分野】
【０００１】
本発明は、振動部と受け部で毛髪を挟み込んで、振動部が具備する振動子の超音波振動を毛髪に伝達させる超音波毛髪処理装置に関するもので、詳しくは振動部及び受け部で毛髪処理剤を塗布した毛髪を挟み込んで、超音波振動により毛髪への毛髪処理剤の浸透を促進させる処理剤浸透装置として用いられる超音波毛髪処理装置に関する。
【背景技術】
【０００２】
従来のヘアースタイリング装置には、電気信号を超音波領域の機械振動に変換する振動子を備え、振動子で発生した超音波振動を毛髪や毛髪処理剤に与えて毛髪への毛髪処理剤の浸透を促進するようにした超音波毛髪処理装置がある（例えば、特許文献１参照）。
【０００３】
この種の超音波毛髪処理装置としては、一対の挟み部材の端部同士を回動自在に連結し、両挟み部材の対向面の一方に円盤状の振動子を具備する振動部を設け、他方に前記振動部に対向する受け部を設けたものがあり、例えば振動部及び受け部の平坦な対向面間に毛髪処理剤を塗布した毛髪束を挟み込み、この状態で毛髪束の長さ方向（伸びる方向）にスライドさせ、同時に振動部にて毛髪束及び毛髪処理剤に円盤状の振動子の厚み方向の超音波振動を毛髪及び毛髪処理剤に伝達、放射することで、毛髪処理剤の毛髪への浸透を毛髪束の長さ方向の全体に亘って促進できるようになっている。
【０００４】
ところで上記超音波毛髪処理装置における振動子は円盤状のものであるため、その厚み方向における振幅は中心が最も大きく径方向外側程振幅が小さい。つまりこの円盤状の振動子の共振点（厚み方向の振幅が最大となる最大振幅点）は中心の１点のみであるので、円盤状の振動子の中心部分においては毛髪及び毛髪処理剤を振動させることができるものの、周部においては殆ど振動させることができず、このため毛髪束の幅方向の全体に亘って均一に毛髪処理剤を浸透させることができない。また円盤状の振動子の周囲部（特に毛髪束の長さ方向と直交する幅方向の両端部）においては充分な量の毛髪処理剤を浸透させることができず、このため施術時間が長くなる。さらには毛髪は振動部と受け部の平坦な対向面間に挟まれるものであるので、毛髪処理剤と毛髪が十分に接することができず、毛髪に毛髪処理剤を十分に浸透させることができない。また毛髪を振動部と受け部で挟んだ状態で振動子の共振点に対応する位置にある毛髪には毛髪処理剤が十分に塗布されていない場合が多々あり、毛髪処理剤を毛髪に効率良く浸透させることができない。
【特許文献１】特開平９−２６２１２０号公報
【発明の開示】
【発明が解決しようとする課題】
【０００５】
本発明は上記従来の問題点に鑑みて発明したものであって、毛髪束の全体に亘って均一に且つ確実に毛髪処理剤を浸透させることができ、施術時間を短くでき、また消費電力を低減でき、しかも毛髪に毛髪処理剤を十分且つ効率良く浸透させることができる超音波毛髪処理装置を提供することを課題とするものである。
【課題を解決するための手段】
【０００６】
上記課題を解決するために本発明に係る超音波毛髪処理装置は、超音波振動を発生する振動子７を具備した振動部５と、振動部５に対向する受け部６を備え、振動部５と受け部６で毛髪を挟み込んで、振動子７の超音波振動を毛髪に伝達する超音波毛髪処理装置１において、前記振動子７として矩形板状の振動子を備え、該矩形板状の振動子７の厚み方向の一方の面を振動面７ａとし、該振動面７ａを共振点Ａが格子点状の多点に位置するように振動するものとし、振動部５の受け部６に対向する面又は受け部６の振動部５に対向する面における前記振動子７の共振点Ａに対応する位置に毛髪処理剤を溜めるための処理剤溜め用凹所１１を形成して成ることを特徴とするものである。
【０００７】
この場合、振動子７は共振点Ａが格子点状の多点に位置するように振動するので、振動子７の振動面７ａを略全部に亘って均一に振動させることができ、毛髪束の幅方向の全体に亘って均一に且つ確実に毛髪処理剤を浸透させることができ、これにより施術時間を短くでき、また消費電力を低減できる。また振動子７の共振点Ａに対応する位置に毛髪処理剤を溜めるための処理剤溜め用凹所１１を形成しているので、振動部５と受け部６とで毛髪を挟んだ状態で処理剤溜め用凹所１１に溜めた毛髪処理剤と毛髪とが十分に接することができ、毛髪に毛髪処理剤を十分に浸透させることができる。また振動子７の共振点Ａに対応する位置に毛髪処理剤を溜めることができ、効率良く毛髪処理剤を毛髪に浸透させることができる。
【０００８】
また上記処理剤溜め用凹所１１として、振動子７の共振点Ａに対応する格子点状の多点に窪み部１１ａを形成することも好ましい。処理剤溜め用凹所１１を振動子７の共振点Ａに対応する格子点状の多点の窪み部１１ａで構成したので、振動子７の共振点Ａに対応する位置に毛髪処理剤を確実に溜めることができて、確実に上記十分且つ効率良く毛髪処理剤を毛髪に浸透できる効果が得られる。
【０００９】
また上記処理剤溜め用凹所１１として、上記振動子７の格子点状の共振点Ａにおける各列の共振点Ａ１〜Ａ３に沿って長く且つ各列Ａ１〜Ａ３の多数の共振点Ａに跨る凹溝１１ｂを形成することも好ましい。１条の凹溝１１ｂを形成するだけで多数の共振点Ａに対応する位置に毛髪処理剤を溜める部分を形成でき、処理剤溜め用凹所１１を振動部５又は受け部６の対向面に形成するにあたって、振動部５又は受け部６の対向面の加工を簡単にできて製造コストを削減できる。
【発明の効果】
【００１０】
本発明では、振動子の振動面を略全部に亘って均一に振動させることができ、毛髪束の幅方向の全体に亘って均一に且つ確実に毛髪処理剤を浸透させることができて、施術時間を短くでき、また消費電力を低減できる。また振動部と受け部とで毛髪を挟んだ状態で毛髪処理剤と毛髪とが十分に接することができ、毛髪に毛髪処理材を十分に浸透させることができ、また効率良く毛髪処理剤を毛髪に浸透させることができる。
【発明を実施するための最良の形態】
【００１１】
以下、本発明を添付図面に示す実施形態に基いて説明する。本実施形態の超音波毛髪処理装置１は図１や図２に示すように一対の長尺な挟み部材２ａ、２ｂの一端部同士をヒンジ部３を介して回動自在に連結してこて状に形成したものであり、一方の挟み部材２ｂを他方の挟み部材２ａに対して挟み部材２ａ、２ｂの長手方向（図１のイに示す）に直交する方向と平行な軸回りに回動することで、両挟み部材２ａ、２ｂのヒンジ部３とは反対側の端部にある対向面４ａ、４ｂ同士を対向させると共に当接して挟み込み状態としたり、対向面４ａ、４ｂ同士を離間させて非挟み込み状態としたりできるようになっている。
【００１２】
挟み部材２ｂの対向面４ｂには振動部５を設けてあり、また挟み部材２ａの対向面４ａには振動部５に対向する受け部６を設けている。
【００１３】
受け部６は発泡ウレタン等の発泡合成樹脂で形成されている。
【００１４】
また振動部５は、超音波振動を発生する振動子７と、振動子７の振動を毛髪へ伝達、放射するヘッド８とで構成してある。振動子７は図３のように挟み部材２ａ、２ｂの対向面４ａ、４ｂと平行な矩形板状に形成してあり、挟み部材２ａに周囲が接した状態で埋設されている。本例の振動子７は挟み部材２ｂの長手方向に長い長方形板状をしている。ここで振動子７はその厚み方向における受け部６側の一方の面が振動面７ａとなっている。また図４のようにヘッド８は矩形板状（詳しくは挟み部材２ｂの長手方向に長い長方形板状）で例えばアルミ等の硬質材料からなり、受け部６と反対側の面を振動子７の振動面７ａと重ね合わせてあり、これにより振動子７ａの振動がヘッド８に伝達されるようになっている。
【００１５】
そして上記振動子７はリード線９を介して超音波毛髪処理装置１の内部又は外部に設けた高周波発振装置１０に電気的に接続してあり、該高周波発振装置により振動子７に電流を流して超音波振動を発生できるようにしている。振動子７は圧電縦効果の厚み方向振動モードを利用するものであり、つまり振動子７に電流を流すと、振動子７は厚み方向と直交する面内で縦方向及び横方向に振動（伸縮）し、これら縦方向及び横方向の振動が干渉しあって厚み方向に振動が発生する。これにより矩形板状の振動子７の振動面７ａは図３のように共振点Ａが格子点状の多点に位置するように振動し、この振動子７の振動面７ａの振動はヘッド８に伝達され、これにより図４（ｂ）のようにヘッド８の振動子７と反対側の面である放射面がその共振点が振動子７の共振点Ａと同じ位置となるように格子点状の多点に位置するように振動する。なお振動子７は出力電力を１〜７Ｗ／ｃｍ２で駆動するように設定している。また図４（ｂ）や後述の図５（ｂ）はヘッドの共振点を黒丸で模式的に示しているものとする
ここで図４（ａ）のように振動部５の受け部６に対向する面（即ちヘッド８の受け部６に対向する面）における振動子７の共振点Ａに対応する位置にはパーマネント剤や、毛染め剤、トリートメント剤等からなる毛髪処理剤を溜めるための処理剤溜め用凹所１１を形成してあり、本例ではこの処理剤溜め用凹所１１として、振動部５の受け部６に対応する面における振動子７の共振点Ａに対応する格子点状の多点に円形の窪み部１１ａを形成している。また同時に受け部６の振動部５に対向する面を平坦な面としている。なお振動部５の受け部６に対向する面において処理剤溜め用凹所１１を形成していない他部は受け部６の振動部５に対向する面と平行で重ね合わせ可能な平坦面となっている。
【００１６】
超音波毛髪処理装置１を用いる場合は、例えば受け部６の振動部５に対向する面や振動部５の受け部６に対向する面に毛髪処理剤を塗布したり、毛髪に毛髪処理剤を塗布し、この後、両挟み部材２ａ、２ｂを挟み部材２ａ、２ｂの長手方向が毛髪束の長さ方向に略直交するように配置して、対向面４ａ、４ｂ同士を重ね合わせるように回動して振動部５と受け部６間に毛髪束を挟み込むと共に毛髪束の長さ方向にスライドさせ、同時に前述のように振動子７を超音波振動させて、振動子７の超音波振動をヘッド８を介して毛髪束及び毛髪処理剤に伝達し、これにより毛髪への毛髪処理剤の浸透を促進させる。
【００１７】
ここで振動子７は図３のように厚み方向から見て共振点Ａが格子点状の多点に位置するように振動するので、振動子７の振動面７ａを略全部に亘って均一に振動させることができ、毛髪束の幅方向の全体に亘って均一に且つ確実に毛髪処理剤を浸透させることができ、これにより施術時間を短くでき、また消費電力を低減できる。また振動子７は圧電縦効果の厚み方向振動モードを利用するものであるので、圧電横効果の厚み方向振動モード（即ち電流を流した際に振動子７を厚み方向に振動させて、厚み方向の振動を得るモード）を利用したものと比較して、超音波振動のエネルギー効率を高めることができ、消費電力を軽減できる。
【００１８】
また図４（ａ）のように振動子７の共振点Ａに対応する位置に毛髪処理剤を溜めるための処理剤溜め用凹所１１を形成しているので、振動部５と受け部６とで毛髪を挟んだ状態で処理剤溜め用凹所１１に溜めた毛髪処理剤と毛髪とが十分に接することができ、毛髪に毛髪処理剤を十分に浸透させることができる。また振動子７の共振点Ａに対応する位置に毛髪処理剤を溜めることができ、効率良く毛髪処理剤を毛髪に浸透させることができる。また特に本例では処理剤溜め用凹所１１を振動子の共振点Ａに対応する格子点状の多点の窪み部１１ａで構成したので、振動子７の共振点Ａに対応する位置に毛髪処理剤を確実に溜めることができる。
【００１９】
また本例では受け部６を発泡合成樹脂で形成しているので、受け部６と振動部５で毛髪を挟んだ状態で、毛髪や振動部５の処理剤溜め用凹所１１に対応して変形する受け部６で毛髪を確実に保持でき、毛髪にいっそう効率良く毛髪処理剤を浸透できる。また振動子７の出力電力を１〜７Ｗ／ｃｍ２と設定しているので毛髪にムラなく且つ均一に毛髪処理剤を浸透できて、きれいなスタイリングを行える。なお図６、図７の夫々は、受け部６の発泡度と毛髪処理剤が毛髪に与える効果との関係を示すグラフ、振動子７の出力電力と毛髪処理剤が毛髪に与える効果との関係とを示すグラフであり、これらのグラフからも上記作用効果が得られることがわかる。
【００２０】
また本例では処理剤溜め用凹所１１として、振動子７の共振点Ａに対応する格子点状の多点に円形の窪み部１１ａを形成した例を示したが、図５に示すように処理剤溜め用凹所１１として、振動部５の受け部６に対向する面（即ちヘッド８の受け部６に対向する面）に、各列の共振点Ａ１〜Ａ３に沿って長く且つ各列の多数の共振点Ａに跨る凹溝１１ｂを形成しても良い。図示例では断面が同じ凹溝１１ｂをヘッド挟み部材２ｂの長手方向（毛髪束の幅方向）の全長に亘って３条形成している。
【００２１】
このように処理剤溜め用凹所１１を各列の共振点Ａ１〜Ａ３の列方向に長く且つ各列の多数の共振点Ａに跨る凹溝１１ｂにより構成した場合も、振動部５と受け部６とで毛髪を挟んだ状態で処理剤溜め用凹部１１に溜めた毛髪処理剤と毛髪とが十分に接することができ、毛髪に毛髪処理剤を十分に浸透させることができ、また振動子７の共振点Ａに対応する位置に毛髪処理剤を溜めることができ、効率良く毛髪処理剤を毛髪に浸透させることができる。しかも本例では１条の凹溝１１ｂを形成するだけで多数の共振点Ａに対応する位置に毛髪処理剤を溜める部分を形成でき、加工を簡単にできて製造コストを削減できる。
【００２２】
なお図４（ａ）、図５（ｂ）では共に振動部５の受け部６に対向する面に処理剤溜め用凹所１１を形成したが、受け部６の振動部５に対向する面に処理剤溜め用凹所１１を形成すると共に振動部５の受け部６に対向する面を平坦な面としても良い。
【図面の簡単な説明】
【００２３】
【図１】本発明の実施の形態の一例を示す超音波毛髪処理装置の斜視図である。
【図２】同上の毛髪処理装置の概略側面図である。
【図３】同上の振動子の格子点状の共振点を示す説明図である。
【図４】（ａ）は同上のヘッドの平面図であり、（ｂ）は同上のヘッドの共振部分を黒丸で示した説明図である。
【図５】他例を示すもので、（ａ）はヘッドの平面図であり、（ｂ）はヘッドのヘッドの共振部分を黒丸で示した説明図である。
【図６】受け部の発泡度と毛髪処理剤が毛髪に与える効果との関係を示すグラフである。
【図７】振動子の出力電力と毛髪処理剤が毛髪に与える効果との関係とを示すグラフである。
【符号の説明】
【００２４】
Ａ  共振点
１  超音波毛髪処理装置
５  振動部
６  受け部
７  振動子
７ａ  振動面
１１  処理剤溜め用凹所
【図１】
0004501828.tif 000002
【図２】
0004501828.tif 000003
【図３】
0004501828.tif 000004
【図４】
0004501828.tif 000005
【図５】
0004501828.tif 000006
【図６】
0004501828.tif 000007
【図７】
0004501828.tif 000008